(57)【要約】【課題】ロール安定性が向上し、情報処理を高い信頼性および安定性をもって行うことが可能なヘッド、ヘッドサスペンションアッセンブリ、およびディスク装置を提供する。【解決手段】ヘッド４０のスライダ４２は、対向面４３に形成された負圧キャビティ５４と、リーディングステップ部５０と、トレーリングステップ部６０と、リーディングパッド部からスライダの下流端側に延出している一対のサイドステップ部４６と、それぞれ対向面に突出して設けられ、サイドステップ部からスライダの下流端側に延出した一対のスカート部７０と、を有している。各スカート部は、基端部７０ａと、基端部に対してスライダの下流端側、かつ、トレーリングステップ部側に位置しトレーリングステップ部と隙間を置いて対向した延出端部７０ｂと、を有している。スカート部は、基端部と延出端部とを結ぶ線、およびこの線に対してトレーリングステップ部と反対側に位置した領域を含む領域Ｅ内に設けられている。【選択図】    図４
2008016068.tif 000002
【特許請求の範囲】
【請求項１】
回転自在な記録媒体の表面に対向する対向面を有し、前記記録媒体の回転によって前記記録媒体表面と対向面との間に生じる空気流により浮上するスライダと、
前記スライダに設けられ前記記録媒体に対し情報処理を行うヘッド部と、を備え、
前記スライダの対向面は前記空気流の方向に延びた長手方向、および長手方向と直交する幅方向を有し、
前記スライダは、
前記対向面に形成され負圧を発生させる負圧キャビティと、
前記対向面に突出して設けられているとともに前記負圧キャビティに対して前記空気流の上流側に位置したリーディングステップ部と、
前記対向面に突出して設けられているとともに前記負圧キャビティに対して前記空気流の下流側に位置し、前記記録媒体に対向するトレーリングステップ部と、
それぞれ前記対向面に突出して設けられ、前記長手方向に沿って前記リーディングパッド部からスライダの下流端側に延出しているとともに前記幅方向に間隔をおいて互いに対向した一対のサイドステップ部と、
それぞれ前記対向面に突出して設けられ、前記サイドステップ部から前記スライダの下流端側に延出した一対のスカート部と、を備え、
各スカート部は、前記サイドステップ部に接続された基端部と、前記基端部に対して前記スライダの下流端側に、かつ、前記トレーリングステップ部側に位置し前記トレーリングステップ部と隙間を置いて対向した延出端部と、を有し、前記基端部と延出端部とを結ぶ線、およびこの線に対して前記トレーリングステップ部と反対側に位置した領域を含む領域内に設けられているヘッド。
【請求項２】
前記一対のスカート部は、前記サイドステップ部の突出高さよりも低い突出高さを有している請求項１に記載のヘッド。
【請求項３】
前記各スカート部は、前記対向面の長手方向に沿って前記基端部から前記スライダの下流端側に延びた第１部分と、前記対向面の幅方向に沿って前記第１部分から前記延出端まで延びた第２部分と、を有している請求項１に記載のヘッド。
【請求項４】
前記各スカート部は、前記対向面の長手方向に沿って前記基端部から前記スライダの下流端側に延びた第１部分と、前記対向面の幅方向に沿って前記第１部分から前記トレーリングステップ部側に延出した第２部分と、前記対向面の長手方向に沿って前記第２部分の延出端から前記延出端まで延びた第３部分と、を有している請求項１に記載のヘッド。
【請求項５】
前記各スカート部は、前記基端部から前記延出端部まで直線的に延びている請求項１に記載のヘッド。
【請求項６】
前記各スカート部は、前記基端部から前記延出端部まで円弧状に湾曲して延びている請求項１に記載のヘッド。
【請求項７】
前記各スカート部は、前記基端部と前記延出端部との間に位置した少なくとも１つの屈曲部を有している請求項１に記載のヘッド。
【請求項８】
前記スライダの対向面は、前記長手方向に延びた中心軸線を有し、前記一対のサイドステップ部は前記中心軸線に対して対称に設けられ、前記一対のスカート部は前記中心軸線に対して対称に設けられている請求項１ないし６のいずれか１項に記載のヘッド。
【請求項９】
前記スライダは、前記長手方向に沿った長さが１．２５ｍｍ以下、前記幅方向に沿った長さが０．７ｍｍ以下である請求項１ないし７のいずれか１項に記載のヘッド。
【請求項１０】
ディスク状の記録媒体と、前記記録媒体を支持しているとともに回転する駆動部と、を備えたディスク装置に用いるヘッドサスペンションアッセンブリであって、
前記記録媒体の表面に対向する対向面を有し、前記記録媒体の回転によって前記記録媒体表面と対向面との間に生じる空気流により浮上するスライダと、前記スライダに設けられ前記記録媒体に対し情報の記録再生を行うヘッド部と、を具備したヘッドと、
前記記録媒体に対して前記ヘッドを移動自在に支持しているとともに、前記記録媒体の表面に向かうヘッド荷重を前記ヘッドに印加するヘッドサスペンションと、を備え、
前記スライダの対向面は前記空気流の方向に延びた長手方向、および長手方向と直交する幅方向を有し、
前記スライダは、
前記対向面に形成され負圧を発生させる負圧キャビティと、
前記対向面に突出して設けられているとともに前記負圧キャビティに対して前記空気流の上流側に位置したリーディングステップ部と、
前記対向面に突出して設けられているとともに前記負圧キャビティに対して前記空気流の下流側に位置し、前記記録媒体に対向するトレーリングステップ部と、
それぞれ前記対向面に突出して設けられ、前記長手方向に沿って前記リーディングパッド部からスライダの下流端側に延出しているとともに前記幅方向に間隔をおいて互いに対向した一対のサイドステップ部と、
それぞれ前記対向面に突出して設けられ、前記サイドステップ部から前記スライダの下流端側に延出した一対のスカート部と、を備え、
各スカート部は、前記サイドステップ部に接続された基端部と、前記基端部に対して前記スライダの下流端側に、かつ、前記トレーリングステップ部側に位置し前記トレーリングステップ部と隙間を置いて対向した延出端部と、を有し、前記基端部と延出端部とを結ぶ線、およびこの線に対して前記トレーリングステップ部と反対側に位置した領域を含む領域内に設けられているヘッドサスペンションアッセンブリ。
【請求項１１】
ディスク状の記録媒体と、
前記記録媒体を支持しているとともに回転する駆動部と、
前記記録媒体の表面に対向する対向面を有し、前記記録媒体の回転によって前記記録媒体表面と対向面との間に生じる空気流により浮上するスライダと、前記スライダに設けられ前記記録媒体に対し情報の記録再生を行うヘッド部と、を具備したヘッドと、
前記記録媒体に対して前記ヘッドを移動自在に支持しているとともに、前記記録媒体の表面に向かうヘッド荷重を前記ヘッドに印加するヘッドサスペンションと、を備え、
前記スライダの対向面は前記空気流の方向に延びた長手方向、および長手方向と直交する幅方向を有し、
前記スライダは、
前記対向面に形成され負圧を発生させる負圧キャビティと、
前記対向面に突出して設けられているとともに前記負圧キャビティに対して前記空気流の上流側に位置したリーディングステップ部と、
前記対向面に突出して設けられているとともに前記負圧キャビティに対して前記空気流の下流側に位置し、前記記録媒体に対向するトレーリングステップ部と、
それぞれ前記対向面に突出して設けられ、前記長手方向に沿って前記リーディングパッド部からスライダの下流端側に延出しているとともに前記幅方向に間隔をおいて互いに対向した一対のサイドステップ部と、
それぞれ前記対向面に突出して設けられ、前記サイドステップ部から前記スライダの下流端側に延出した一対のスカート部と、を備え、
各スカート部は、前記サイドステップ部に接続された基端部と、前記基端部に対して前記スライダの下流端側に、かつ、前記トレーリングステップ部側に位置し前記トレーリングステップ部と隙間を置いて対向した延出端部と、を有し、前記基端部と延出端部とを結ぶ線、およびこの線に対して前記トレーリングステップ部と反対側に位置した領域を含む領域内に設けられているディスク装置。
【発明の詳細な説明】
【技術分野】
【０００１】
この発明は、ディスク装置に用いるヘッド、このヘッドを備えたヘッドサスペンションアッセンブリ、およびヘッドサスペンションアッセンブリを備えたディスク装置に関する。
【背景技術】
【０００２】
ディスク装置として、例えば、磁気ディスク装置は、ケース内に配設された磁気ディスクと、磁気ディスクを支持および回転駆動するスピンドルモータと、磁気ディスクに対して情報のリード／ライトを行う磁気ヘッドと、磁気ヘッドを磁気ディスクに対して移動自在に支持したキャリッジアッセンブリと、を備えている。キャリッジアッセンブリは、回動自在に支持されたアームと、アームから延出したサスペンションとを備え、このサスペンションに延出端に磁気ヘッドが支持されている。磁気ヘッドは、サスペンションに取り付けられたスライダ、およびスライダに設けられたヘッド部を有し、ヘッド部は、リード用の再生素子、ライト用の記録素子を含んで構成されている。
【０００３】
スライダは、磁気ディスクの記録面と対向した空気支持面（エアベアリングサーフェース、ＡＢＳ面）を有している。スライダの空気支持面には、負圧を発生させるための負圧発生部として負圧キャビティが形成されている。スライダは、サスペンションにより、磁気ディスクの磁気記録層に向う方向に所定のヘッド荷重が印加されている。磁気ディスク装置の動作時、回転する磁気ディスクとスライダとの間には空気流が発生し、スライダの空気支持面には、負圧キャビティにより発生した負圧と反対向きの正圧、つまり、スライダを磁気ディスク記録面から浮上させる力が作用する。この浮上力とヘッド荷重とを釣り合わせることにより、スライダは磁気ディスク記録面と一定の隙間を保って浮上している。
【０００４】
スライダの浮上量は、磁気ディスクのどの半径位置においても同程度であることが求められる。磁気ディスクの回転数は一定であり、周速は半径位置に応じて相違している。また、磁気ヘッドは、回転式のキャリッジアッセンブリにより位置決めされるために、ヨー角（流れの方向（トラック方向）とスライダの中心線とのなす角）もディスクの半径位置に応じて相違している。そのため、スライダの設計においては、ディスクの半径位置に応じて変化する上記２つのパラメータを適宜利用して、ディスク半径位置による浮上量の変化を抑制する必要がある。
【０００５】
また、近年、記録密度の向上に伴い、スライダの小型化が図られ、いわゆる、ピコスライダ、フェムトスライダ等の研究がなされている。スライダが小型化し、その幅方向の寸法が小さくなると、外部衝撃を受けた際にスライダの長軸回りでの揺動、つまり、ロール振動が発生し易くなる。
【０００６】
このようなロール振動を抑制するため、スライダの空気支持面において、スライダの長軸と平行に延びた一対のサイドパッドを設けたヘッドが提供されている（例えば、特許文献１）。これらのサイドパッドはスライダの長軸の両側に設けられ、スライダのロール剛性を高め、ロール振動の発生を抑制することができる。
【特許文献１】特開２００５−１８９８５号公報
【発明の開示】
【発明が解決しようとする課題】
【０００７】
スライダのロール安定性の向上を図る場合、ロール振動の発生を抑制するだけでは十分でなく、ロール振動が発生した際に、そのロールを速やかに減衰することが必要となる。前述したように、空気支持面の面積が小さい小型のヘッドでは、外乱に対してロール振動が発生し易いため、ロール安定性を一層高めることが望まれている。
【０００８】
この発明は以上の点に鑑みなされたもので、その目的は、ロール安定性が向上し、記録媒体に対する情報処理を高い信頼性および安定性をもって行うことが可能なヘッド、このヘッドを備えたヘッドサスペンションアッセンブリ、およびディスク装置を提供することにある。
【課題を解決するための手段】
【０００９】
上記目的を達成するため、この発明の態様に係るヘッドは、回転自在な記録媒体の表面に対向する対向面を有し、前記記録媒体の回転によって前記記録媒体表面と対向面との間に生じる空気流により浮上するスライダと、前記スライダに設けられ前記記録媒体に対し情報処理を行うヘッド部と、を備えている。  
前記スライダの対向面は前記空気流の方向に延びた長手方向、および長手方向と直交する幅方向を有し、  
前記スライダは、前記対向面に形成され負圧を発生させる負圧キャビティと、前記対向面に突出して設けられているとともに前記負圧キャビティに対して前記空気流の上流側に位置したリーディングステップ部と、前記対向面に突出して設けられているとともに前記負圧キャビティに対して前記空気流の下流側に位置し、前記記録媒体に対向するトレーリングステップ部と、それぞれ前記対向面に突出して設けられ、前記長手方向に沿って前記リーディングパッド部からスライダの下流端側に延出しているとともに前記幅方向に間隔をおいて互いに対向した一対のサイドステップ部と、それぞれ前記対向面に突出して設けられ、前記サイドステップ部から前記スライダの下流端側に延出した一対のスカート部と、を備え、  
各スカート部は、前記サイドステップ部に接続された基端部と、前記基端部に対して前記スライダの下流端側に、かつ、前記トレーリングステップ部側に位置し前記トレーリングステップ部と隙間を置いて対向した延出端部と、を有し、前記基端部と延出端部とを結ぶ線、およびこの線に対して前記トレーリングステップ部と反対側に位置した領域を含む領域内に設けられている。
【００１０】
この発明の他の態様に係るディスク装置は、ディスク状の記録媒体と、前記記録媒体を支持しているとともに回転駆動する駆動部と、前記記録媒体の表面に対向する対向面を有し、前記記録媒体の回転によって前記記録媒体表面と対向面との間に生じる空気流により浮上するスライダと、前記スライダに設けられ前記記録媒体に対し情報の記録再生を行うヘッド部と、を具備したヘッドと、前記記録媒体に対して前記ヘッドを移動自在に支持しているとともに、前記記録媒体の表面に向かうヘッド荷重を前記ヘッドに印加するヘッドサスペンションと、を備えている。  
前記スライダの対向面は前記空気流の方向に延びた長手方向、および長手方向と直交する幅方向を有し、  
前記スライダは、前記対向面に形成され負圧を発生させる負圧キャビティと、前記対向面に突出して設けられているとともに前記負圧キャビティに対して前記空気流の上流側に位置したリーディングステップ部と、前記対向面に突出して設けられているとともに前記負圧キャビティに対して前記空気流の下流側に位置し、前記記録媒体に対向するトレーリングステップ部と、それぞれ前記対向面に突出して設けられ、前記長手方向に沿って前記リーディングパッド部からスライダの下流端側に延出しているとともに前記幅方向に間隔をおいて互いに対向した一対のサイドステップ部と、それぞれ前記対向面に突出して設けられ、前記サイドステップ部から前記スライダの下流端側に延出した一対のスカート部と、を備え、  
各スカート部は、前記サイドステップ部に接続された基端部と、前記基端部に対して前記スライダの下流端側に、かつ、前記トレーリングステップ部側に位置し前記トレーリングステップ部と隙間を置いて対向した延出端部と、を有し、前記基端部と延出端部とを結ぶ線、およびこの線に対して前記トレーリングステップ部と反対側に位置した領域を含む領域内に設けられている。
【発明の効果】
【００１１】
本発明の態様によれば、ロール安定性が向上し、記録媒体に対する情報処理を高い信頼性および安定性をもって行うことが可能なヘッド、このヘッドを備えたヘッドサスペンションアッセンブリ、およびディスク装置を提供することができる。
【発明を実施するための最良の形態】
【００１２】
以下図面を参照しながら、この発明に係るディスク装置をハードディスクドライブ（以下、ＨＤＤと称する）に適用した第１の実施形態について詳細に説明する。
【００１３】
図１は、ＨＤＤのトップカバーを取り外して内部構造を示す平面図であり、図２は、浮上状態の磁気ヘッドを示している。図１に示すように、ＨＤＤは、上面の開口した矩形箱状のケース１２と、複数のねじによりケースにねじ止めされケースの上端開口を閉塞する図示しないトップカバーと、を有している。
【００１４】
ケース１２内には、記録媒体としての磁気ディスク１６、磁気ディスクを支持および回転させる駆動部としてのスピンドルモータ１８、磁気ディスクに対して情報の書き込み、読み出しを行なう複数の磁気ヘッド４０、これらの磁気ヘッドを磁気ディスク１６に対して移動自在に支持したキャリッジアッセンブリ２２、キャリッジアッセンブリを回動および位置決めするボイスコイルモータ（以下、ＶＣＭと称する）２４、磁気ヘッドが磁気ディスクの最外周に移動した際、磁気ヘッドを磁気ディスクから離間した退避位置に保持するランプロード機構２５、およびヘッドＩＣ等を有する基板ユニット２１等が収納されている。
【００１５】
ケース１２の底壁外面には、基板ユニット２１を介して、スピンドルモータ１８、ＶＣＭ２４、および磁気ヘッドの動作を制御する図示しないプリント回路基板がねじ止めされている。
【００１６】
磁気ディスク１６は、上面および下面に磁気記録層を有している。磁気ディスク１６は、スピンドルモータ１８の図示しないハブの外周に嵌合されているとともに、クランプばね１７によってハブ上に固定されている。スピンドルモータ１８を駆動することにより、磁気ディスク１６は所定の速度、例えば、４２００ｒｐｍで矢印Ｂ方向に回転される。
【００１７】
キャリッジアッセンブリ２２は、ケース１２の底壁上に固定された軸受部２６と、軸受部から延出した複数のアーム３２と、を備えている。これらのアーム３２は、磁気ディスク１６の表面と平行に、かつ、互いに所定の間隔を置いて位置しているとともに、軸受部２６から同一の方向へ延出している。キャリッジアッセンブリ２２は、弾性変形可能な細長い板状のサスペンション３８を備えている。サスペンション３８は、板ばねにより構成され、その基端がスポット溶接あるいは接着によりアーム３２の先端に固定され、アームから延出している。各サスペンション３８は対応するアーム３２と一体に形成されていてもよい。アーム３２およびサスペンション３８によりヘッドサスペンションを構成し、このヘッドサスペンションと磁気ヘッド４０とによりヘッドサスペンションアッセンブリを構成している。
【００１８】
図２に示すように、各磁気ヘッド４０は、ほぼ直方体形状のスライダ４２とこのスライダに設けられた記録再生用のヘッド部４４とを有している。磁気ヘッド４０は、サスペンション３８の先端部に設けられたジンバルばね４１に固定されている。各磁気ヘッド４０は、サスペンション３８の弾性により、磁気ディスク１６の表面に向かうヘッド荷重Ｌが印加されている。
【００１９】
図１に示すように、キャリッジアッセンブリ２２は、軸受部２６からアーム３２と反対の方向へ延出した支持枠４５を有し、この支持枠により、ＶＣＭ２４の一部を構成するボイスコイル４７が支持されている。支持枠４５は、合成樹脂によりボイスコイル４７の外周に一体的に成形されている。ボイスコイル４７は、ケース１２に固定された一対のヨーク４９間に位置し、これらのヨーク、および一方のヨークに固定された図示しない磁石とともにＶＣＭ２４を構成している。ボイスコイル４７に通電することにより、軸受部２６の回りでキャリッジアッセンブリ２２が回動し、磁気ヘッド４０は磁気ディスク１６の所望のトラック上に移動および位置決めされる。
【００２０】
ランプロード機構２５は、ケース１２の底壁に設けられているとともに磁気ディスク１６の外側に配置されたランプ５１と、各サスペンション３８の先端から延出したタブ５３と、を備えている。キャリッジアッセンブリ２２が、磁気ディスク１６の外側の退避位置まで回動する際、各タブ５３は、ランプ５１に形成されたランプ面と係合し、その後、ランプ面の傾斜によって引き上げられ、磁気ヘッド４０のアンロード動作を行う。
【００２１】
次に、磁気ヘッド４０の構成について詳細に説明する。図３は磁気ヘッドのスライダを示す斜視図、図４はスライダの平面図、図５はスライダの側面図である。  
図３ないし図５に示すように、磁気ヘッド４０はほぼ直方体状に形成されたスライダ４２を有し、このスライダは磁気ディスク１６の表面に対向する矩形状のディスク対向面（空気支持面（ＡＢＳ面））４３を有している。ディスク対向面４３の長手方向を第１方向Ｘ、これと直交する幅方向を第２方向Ｙとする。また、ディスク対向面４３は、第１方向Ｘに延びた中心軸線Ｄを有している。
【００２２】
スライダ４２は、第１方向Ｘの長さＬ１が１．２５ｍｍ以下、例えば、１．２３５ｍｍ、第２方向Ｙに沿った幅Ｗ１が０．７ｍｍ以下、例えば、０．７ｍｍに形成され、いわゆるペムトスライダとして構成されている。
【００２３】
磁気ヘッド４０は浮上型のヘッドとして構成され、スライダ４２は、磁気ディスク１６の回転によってディスク表面とディスク対向面４３との間に生じる空気流Ｃ（図２参照）により浮上する。ＨＤＤの動作時、スライダ４２のディスク対向面４３はディスク表面に対し常に隙間を保って対向している。ここで、空気流Ｃの方向は、磁気ディスク１６の回転方向Ｂと一致している。スライダ４２は、磁気ディスク１６表面に対し、ディスク対向面４３の第１方向Ｘが空気流Ｃの方向とほぼ一致するように配置されている。
【００２４】
ディスク対向面４３上には磁気ディスク表面と対向したほぼ矩形状のリーディングステップ部５０が突設されている。このリーディングステップ部５０は、空気流Ｃの方向に対し、ディスク対向面４３の上流側約２／５の領域に渡って形成されている。また、ディスク対向面４３上には、ディスク対向面４３の各長辺に沿って延びているとともに間隔を置いて対向した一対のサイドステップ部４６が突設されている。サイドステップ部４６は、リーディングステップ部５０からスライダ４２の下流端側に延出している。リーディングステップ部５０および一対のサイドステップ部４６は、スライダ４２の中心軸線Ｄに対して対象に設けられ、全体として、上流側が閉塞され、下流側に向かって開放したほぼＵ字形状に形成されている。
【００２５】
磁気ヘッド４０のピッチ角を維持するため、リーディングステップ部５０上には、空気膜によってスライダ４２を支えるリーディングパッド５２が突設されている。リーディングパッド５２は、第２方向Ｙに沿ってリーディングパッド５２の幅方向全域に渡り連続的に延びているとともに、スライダ４２の流入側端から下流側にずれた位置に形成されている。リーディングパッド５２は、空気流Ｃに対し、スライダ４２の流入端側に位置している。各サイドステップ部４６上には、サイドパッド４８が形成され、リーディングパッド５２に繋がっている。リーディングパッド５２およびサイドパッド４８はほぼ平坦に形成され、磁気ディスク表面と対向している。
【００２６】
各サイドパッド４８には凹所５６が形成されている。凹所５６は、磁気ディスク表面に向かって開口しているとともに、ディスク対向面４３の流入側端に向かって開口している。各凹所５６は矩形状に形成され、第１方向Ｘとほぼ平行に延びた一対の側縁、およびこれら側縁の延出端同士を繋いでいるとともに第２方向Ｙとほぼ平行に延びた底縁によって規定されている。
【００２７】
図３および図４に示すように、ディスク対向面４３のほぼ中央部には、一対のサイドステップ部４６およびリーディングステップ部５０によって規定された凹所からなる負圧キャビティ５４が形成されている。負圧キャビティ５４は、空気流Ｃの方向に対し、リーディングステップ部５０の下流側に形成され、かつ、下流側に向かって開放している。負圧キャビティ５４を設けることにより、ＨＤＤで実現される全てのヨー角において、ディスク対向面４３中心部で負圧を発生させることができる。
【００２８】
スライダ４２は、空気流Ｃの方向に対して、ディスク対向面４３の下流側の端部に突出して設けられたほぼ矩形状のトレーリングステップ部６０を有している。トレーリングステップ部６０は、空気流Ｃの方向に対して、負圧キャビティ５４の下流側に位置し、かつ、ディスク対向面４３の幅方向ほぼ中央に位置している。トレーリングステップ部６０上にはトレーリングパッド６６が突設され、磁気ディスク表面と対向している。
【００２９】
磁気ヘッド４０のヘッド部４４は、磁気ディスク１６に対して情報の記録再生を行う記録素子および再生素子を有している。これら再生素子および記録素子は、空気流Ｃの方向に対して、スライダ４２の下流側端部内に埋め込まれている。再生素子および記録素子は、トレーリングパッド６６に形成されたリード／ライトギャップ６４を有している。
【００３０】
図３ないし図５に示すように、スライダ４２は、それぞれディスク対向面４３上に突出して設けられた一対のスカート部７０を有している。一対のスカート部７０はスライダ４２の中心軸線Ｄに対して対称に設けられている。各スカート部７０は、サイドステップ部４６からスライダ４２の下流端側に延出している。各スカート部７０は、サイドステップ部４６に接続された基端部７０ａと、基端部に対してスライダ４２の下流端側に、かつ、トレーリングステップ部６０側に位置した延出端部７０ｂとを有している。延出端部７０ｂは、トレーリングステップ部６０と隙間を置いて対向している。
【００３１】
図４に示すように、各スカート部７０は、ディスク対向面４３において、基端部７０ａと延出端部７０ｂとを結ぶ線Ｆ、およびこの線に対してトレーリングステップ部６０と反対側に位置した領域を含む領域Ｅ内に設けられている。
【００３２】
本実施形態において、各スカート部７０は、ディスク対向面４３の第１方向Ｘに沿って基端部７０ａからスライダ４２の下流端側に延びた第１部分７２ａと、ディスク対向面の第２方向Ｙに沿って第１部分から延出端部７０ｂまで延びた第２部分７２ｂと、を有し、ほぼＬ字形状に形成されている。ディスク対向面４３に対する各スカート部７０の突出高さは、サイドステップ部４６の突出高さよりも低く形成されている。
【００３３】
以上のように構成されたＨＤＤおよびヘッドサスペンションアッセンブリによれば、磁気ヘッド４０は、磁気ディスク１６の回転によってディスク表面とディスク対向面４３との間に生じる空気流Ｃにより浮上する。ＨＤＤの動作時、スライダ４２のディスク対向面４３はディスク表面に対し常に隙間を保って対向している。図２に示すように、磁気ヘッド４０は、ヘッド部４４のリード／ライトギャップ６４が最も磁気ディスク表面に接近した傾斜姿勢をとって浮上する。
【００３４】
上記構成の磁気ヘッド４０によれば、ディスク対向面４３の中央部に設けられた負圧キャビティ５４により安定して負圧を発生させることができる。スライダ４２の中心軸線Ｄの両側に設けられたサイドステップ部４６により、スライダのロール剛性が高められ、ロール振動、すなわち、スライダの中心軸線Ｄ、回りの振動、の発生が抑制される。更に、ほぼＬ字形状に形成された一対のスカート部７０を設けることにより、ロール振動に対する減衰力が向上する。すなわち、上記構成のスカート部７０を設けることにより、スライダ４２の流入端がから入り流出端に抜けようとする空気流は、スカート部によって一旦押しと止められた後、スカート部の延出端部７０ｂとトレーリングステップ部６０との隙間を通ってスライダの下流端から流出する。これにより、スクイーズ効果が高まり、ロール方向への減衰力が高くなる。
【００３５】
図６に示すように、第１方向の長さＬ１が０．８５ｍｍ、第２方向に沿った幅Ｗ１が１．０ｍｍのフェムトスライダであってスカート部を持たないスライダ（比較例１）、スカート部を持たないペムトスライダ（比較例２）、およびサイドステップ部からスライダの長手方向に沿って直線状に延びたスカート部７０を備えたペムトスライダ（比較例３）、および上述した第１の実施形態に係るペムトスライダ（実施形態１）を用意し、これらのスライダについてロール振動の減衰力を比較した。なお、これらのスライダにおいて、スカート部を除く他の構成は共通としている。比較結果を図７に示す。
【００３６】
図７から分かるように、フェムトスライダ（比較例１）が最も減衰力が高く、スカート部を持たないペムトスライダ（比較例２）が最も減衰力が低い。ペムトスライダにおいて、直線状のスカート部を備えたスライダ（比較例３）はスカート部を持たないスライダ（比較例２）よりもロール振動に対する減衰力が高い。本実施形態のようにＬ字形状のスカート部を備えたスライダ（実施形態１）は、比較例３よりも更に高い減衰力が得られる。本実施形態に係るスライダは、フェムトスライダ（比較例１）に近い減衰力を得ることができる。
【００３７】
以上のことから、ロール安定性が向上し、磁気ディスクに対する情報処理を高い信頼性および安定性をもって行うことが可能な磁気ヘッド４０、この磁気ヘッドを備えたヘッドサスペンションアッセンブリ、およびＨＤＤが得られる。
【００３８】
次に、この発明の第２の実施形態に係るＨＤＤの磁気ヘッド４０について説明する。  
図８に示すように、本実施形態によれば、スライダ４２のディスク対向面４３に突設された一対のスカート部７０は、それぞれほぼＵ字形状に形成されている。詳細に述べると、各スカート部７０は、サイドステップ部４６からスライダ４２の下流端側およびトレーリングステップ部６０側に延出している。
【００３９】
各スカート部７０は、ディスク対向面４３の第１方向Ｘに沿って基端部７０ａからスライダ４２の下流端側に延びた第１部分７２ａと、ディスク対向面の第２方向Ｙに沿って第１部分からトレーリングステップ部６０の近傍まで延びた第２部分７２ｂと、第１方向Ｘに沿って第２部分７２ｂの先端からスライダの上流端側に延びた第３部分７２ｃと、を有し、ほぼＵ字形状に形成されている。第３部分７２ｃは、隙間を置いてトレーリングステップ部６０と対向している。ディスク対向面４３に対する各スカート部７０の突出高さは、サイドステップ部４６の突出高さよりも低く形成されている。  
磁気ヘッド４０の他の構成、およびＨＤＤの構成は、前述した第１の実施形態と同一であり、同一の部分には同一の参照符号を付してその詳細な説明を省略する。
【００４０】
図９は、前述した比較例１、比較例２、比較例３、第１の実施形態、および第２の実施形態に係るスライダについて、ロール振動に対する減衰力を比較した結果を示している。この図から分かるように、ほぼＵ字形状のスカート部７０を設けることにより、第１の実施形態に係るスライダよりも一層高い減衰力が得られる。
【００４１】
スライダにおけるスカート部７０の形状は、前述した第１および第２の実施形態に限定されることなく、前述した条件を満たす範囲内で種々変形可能である。すなわち、各スカート部７０は、サイドステップ部４６に接続された基端部と、基端部に対してスライダ４２の下流端側に、かつ、トレーリングステップ部６０側に位置しトレーリングステップ部６０と隙間を置いて対向した延出端部と、を有し、ディスク対向面４３において、基端部と延出端部とを結ぶ線Ｆ、およびこの線に対してトレーリングステップ部６０と反対側に位置した領域を含む領域Ｅ内に設けられていればよい。
【００４２】
図１０に示す第３の実施形態によれば、各スカート部７０は、基端部７０ａと延出端部７０ｂとの間に位置した複数の屈曲部７４を有している。  
図１１に示す第４の実施形態によれば、各スカート部７０は、基端部７０ａから延出端部７０ｂまで直線的に延び、スライダ４２の第１方向Ｘに対して傾斜して延びている。  
図１２に示す第５の実施形態によれば、各スカート部７０は、基端部７０ａから延出端部７０ｂまで円弧状に湾曲して延びている。
【００４３】
第３ないし第５の実施形態において、磁気ヘッドおよびＨＤＤの他の構成は、前述した第１の実施形態と同一であり、同一の部分には同一の参照符号を付してその詳細な説明を省略する。そして、第３ないし第５の実施形態においても、前述した第１の実施形態と同様の作用効果を得ることができる。
【００４４】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
この発明は、ペムトスライダに限らず、ピコスライダ、フェムトスライダ、あるいは、より寸法の大きなスライダにも適用可能である。
【図面の簡単な説明】
【００４５】
【図１】図１は、この発明の第１の実施形態に係るＨＤＤを示す平面図。
【図２】図２は、上記ＨＤＤにおける磁気ヘッド部分を拡大して示す側面図。
【図３】図３は、上記磁気ヘッドのスライダのディスク対向面側を示す斜視図。
【図４】図４は、上記スライダのディスク対向面側を示す平面図。
【図５】図５は、上記スライダを示す側面図。
【図６】図６は、比較例に係るスライダを概略的に示す平面図。
【図７】図７は、第１の実施形態に係るスライダおよび比較例に係るスライダについて、ロール振動に対する減衰力を比較して示す図。
【図８】図８は、この発明の第２の実施形態に係る磁気ヘッドのスライダを示す平面図。
【図９】図９は、第２の実施形態に係るスライダ、第１の実施形態に係るスライダおよび比較例に係るスライダについて、ロール振動に対する減衰力を比較して示す図。
【図１０】図１０は、この発明の第３の実施形態に係る磁気ヘッドのスライダを示す平面図。
【図１１】図１１は、この発明の第４の実施形態に係る磁気ヘッドのスライダを示す平面図。
【図１２】図１２は、この発明の第５の実施形態に係る磁気ヘッドのスライダを示す平面図。
【符号の説明】
【００４６】
１２…ケース、  １６…磁気ディスク、  １８…スピンドルモータ
２２…キャリッジアッセンブリ、  ２６…軸受部、  ３２…アーム、
３８…サスペンション、  ４０…磁気ヘッド、  ４２…スライダ、
４３…ディスク対向面、  ４４…ヘッド部、  ４６…サイドステップ部、
５０…リーディングステップ部、  ５２…リーディングパッド、
５４…負圧キャビティ、  ６０…トレーリングステップ部、  ７０…スカート部、
７０ａ…基端部、  ７０ｂ…延出端部、  Ｅ…領域
【図１】
2008016068.tif 000003
【図２】
2008016068.tif 000004
【図３】
2008016068.tif 000005
【図４】
2008016068.tif 000006
【図５】
2008016068.tif 000007
【図６】
2008016068.tif 000008
【図７】
2008016068.tif 000009
【図８】
2008016068.tif 000010
【図９】
2008016068.tif 000011
【図１０】
2008016068.tif 000012
【図１１】
2008016068.tif 000013
【図１２】
2008016068.tif 000014